(57)【要約】  【課題】  画像処理装置の表示部に表示しきれない未表示部分の情報を迅速に表示させることにより，未表示部分にある情報を検索等するときの操作性を向上させ，且つ検索等に費やされる時間を短縮すること。  【解決手段】アドレスリスト等の管理情報を表示する液晶表示部２８（情報表示部）を有する画像処理装置に，上記液晶表示部２８の表示画面に表示された上記管理情報の表示部分の上記管理情報全体における相対位置の指標（スライダ３３等）を表示する指標表示手段と，上記指標表示手段により表示された指標を移動させた場合，上記表示画面を上記指標表示手段の移動方向へ移動させる指標移動手段とを設ける。【選択図】図２
2005244360.tif 000002
【特許請求の範囲】
【請求項１】
画像処理装置で管理される管理情報を表示する情報表示部の表示画面を上下方向及び／若しくは左右方向にスクロールすることによって上記表示画面に表示しきれない上記管理情報の未表示部分を上記情報表示部に表示させるスクロール機能を有する画像処理装置において，
上記表示画面に表示された上記管理情報の表示部分の上記管理情報全体における相対位置の指標を表示する指標表示手段と，
上記指標表示手段により表示された指標を移動させた場合，上記表示画面を上記指標表示手段の移動方向へ移動させる指標移動手段と，
を具備してなることを特徴とする画像処理装置。
【請求項２】
上記指標表示手段が，タッチキー入力可能なタッチパネルで構成され，該タッチパネルの画面上に上記指標を表示するものである請求項１に記載の画像処理装置。
【請求項３】
上記指標表示手段が，上記情報表示部の枠外近傍に配設されてなる請求項１又は２に記載の画像処理装置。
【請求項４】
上記管理情報の上下方向の指標を表示する上記指標表示手段が，上記情報表示部の左右側枠のいずれかに沿って設けられており，
上記管理情報の左右方向の指標を表示する上記指標表示手段が，上記情報表示部の上下側枠のいずれかに沿って設けられてなる請求項１〜３のいずれかに記載の画像処理装置。
【請求項５】
上記管理情報が，上記画像処理装置に登録されたユーザ登録情報又は送信先アドレス情報，或いは画像形成に係わる各種設定項目，或いはプレビュー画像のいずれか又は複数である請求項１〜４のいずれかに記載の画像処理装置。
【発明の詳細な説明】
【技術分野】
【０００１】
本発明は，液晶ディスプレイ等の表示部に表示されるユーザ登録情報やアドレス情報等の管理情報の内容を容易に検索或いは参照することのできる画像処理装置に関し，特に，上記表示部の表示画面に表示しきれない上記管理情報の未表示部分の内容の検索，参照を容易且つ迅速に行うことが可能な画像処理装置に関するものである。
【背景技術】
【０００２】
読み取られ画像データを所定の端末等に送信する機能を有する従来のファクシミリ装置，スキャナ装置等の画像処理装置には，送信先アドレスの入力を容易にするべく，複数の送信先アドレス等のデータを予め登録（記憶）するメモリ等の記憶装置が設けられている。従って，操作者は，画像処理装置で読み取られた画像データの送信先アドレスをテンキー等を用いて入力することなく，上記記憶装置から読み出されて所定の表示パネルに表示されたアドレスリストから送信先アドレスを検索して指定入力することが可能となり，これにより，送信先アドレスをキー入力するという煩雑な作業を排除することができる。
しかしながら，上記アドレスデータが表示される表示パネルの表示画面（表示面積）は比較的小さなものであるため，アドレスの登録数が多ければ一度に全てのアドレスデータを表示することができない。そのため，従来は，アドレスデータを上記表示パネルの表示画面枠に表示し得る数（例えば１０件分）のアドレスデータに分割し，分割されたそれぞれのアドレスデータを表示するアドレス画面（例えば登録番号１〜１０のアドレスが表示されたアドレス画面，登録番号１１〜２０のアドレスが表示されたアドレス画面…）を複数設け，このアドレス画面を画面切替キー等のキー操作に応じて順次切り替えることにより所望するアドレスの検索，参照を可能としている。
一方，特許文献１には，マトリクス状に配置された複数の機能情報を液晶表示部に表示する画像形成装置が開示されている。この画像形成装置の操作パネルには，上記液晶表示部に表示された表示内容を上下にスライドさせるスライドキーが設けられており，上記表示内容が上記表示パネルに一括表示しきれない場合は，上記スライドキーを操作することにより，未表示部分の表示内容を順次スライドさせて上記液晶表示部に表示させることを可能にしている。
【特許文献１】特開平１１−１４３３０１号公報
【発明の開示】
【発明が解決しようとする課題】
【０００３】
しかしながら，上記従来の画像処理装置では，例えば，検索したい送信アドレスがアドレスリスト（アドレスデータ）の末尾付近に登録されている場合は，画面切替キーを何度も操作しなければ，検索したいアドレスを含むアドレス画面を表示させることができなかった。この場合，送信アドレスをテンキー等により直接入力するよりも却ってキー操作回数が多くなり，煩雑な操作が要求されるばかりでなく，アドレスを検索する時間が余計に浪費されるという不都合が生じ，問題である。
また，上記特許文献１に記載された画像形成装置は，機械式の上方向スライドキー及び下方向スライドキーの２つのキー操作によって未表示部分の内容を上下にスライドさせて表示させるものであるため，検索したい送信アドレスがアドレスリストの末尾付近に登録されている場合は，上記スライドキーを何度も押し操作するか，上記スライドキーの押し操作を長時間継続しなければ，所望のアドレスを表示することができないという問題があった。
従って，本発明は上記事情に鑑みてなされたものであり，その目的とするところは，画像処理装置の表示部に表示される情報のうち，表示部に表示しきれない未表示部分の情報を迅速に表示させることにより，未表示部分にある情報を検索等するときの操作性を向上させ，且つ検索等に費やされる時間を短縮することができる画像処理装置を提供することにある。
【課題を解決するための手段】
【０００４】
上記目的を達成するために本発明は，画像処理装置で管理される管理情報を表示する情報表示部の表示画面を上下方向及び／若しくは左右方向にスクロールすることによって上記表示画面に表示しきれない上記管理情報の未表示部分を上記情報表示部に表示させるスクロール機能を有する画像処理装置において，上記表示画面に表示された上記管理情報の表示部分の上記管理情報全体における相対位置の指標を表示する指標表示手段と，上記指標表示手段により表示された指標を移動させた場合，上記表示画面を上記指標表示手段の移動方向へ移動させる指標移動手段と，を具備してなることを特徴とする画像処理装置として構成されている。
このように構成されたファクシミリ装置等の画像処理装置であれば，上記指標が操作者に移動された場合に，上記情報表示部に表示しきれない未表示部分の情報が上記指標の移動速度に応じて上記情報表示部に連続的にシフト表示されるため，上記未表示部分の情報を即時に検索することができる。これにより，未表示部分の情報を検索等するときの検索操作を容易にし，且つ，検索等に費やされる時間を短縮することが可能となる。
【０００５】
この場合，上記指標表示手段が，タッチキー入力可能なタッチパネルで構成され，該タッチパネルの画面上に上記指標を表示するものであることが望ましい。例えば，上記指標表示手段が画像処理装置のタッチパネル型の情報表示部と一体形成されたものであれば，画像処理装置の操作パネル等に表示画面の切り替え或いはスクロールをするためのスイッチ等を設ける必要がなくなり，操作パネルの形状や配列を簡易化することができ，さらに，操作パネルを小型化することが可能となる。
また，上記指標表示手段が，情報表示部と一体形成されたものでなく，例えば，上記情報表示部の枠外近傍に配設されたものであってもよい。この場合，上記指標表示手段は，上記情報表示部の枠外近傍にあれば，上記情報表示部と分離されたタッチパネル等により構成されたものでもよい。上記指標表示手段を上記情報表示部から離れた位置に設けずに，上記情報表示部に近い位置に設けることにより，上記指標の移動操作の操作性を向上させることが可能となる。
また，この場合，上記指標表示手段が上記管理情報の上下方向の指標を表示するものである場合は，上記情報表示部の左右側枠のいずれかに沿って上記指標表示手段を設けることが好ましい。また，上記指標表示手段が上記管理情報の左右方向の指標を表示するものである場合は，上記情報表示部の上下側枠のいずれかに沿って上記指標表示手段を設けることが望ましい。なお，上記指標表示手段を上記情報表示部に一体形成する場合も同様である。
また，上記管理情報としては，上記画像処理装置に登録されたユーザ登録情報又は送信先アドレス情報，或いは画像形成に係わる各種設定項目，或いはプレビュー画像等が考えられる。
【発明の効果】
【０００６】
以上説明したように，本発明は，表示画面に表示されたアドレスデータ等の管理情報の表示部分の上記管理情報全体における相対位置の指標を表示する指標表示手段と，上記指標表示手段により表示された指標を移動させた場合，上記表示画面を上記指標表示手段の移動方向へ移動させる指標移動手段とが設けられているため，操作者により上記指標が移動された場合に，上記情報表示部に表示しきれない未表示部分の情報を上記情報表示部に連続的に指標の移動方向へシフト表示させることができ，しかも，指標は自由な速度で移動させることができるので，連続的なシフト表示も上記指標の移動速度に応じた自由な表示速度で表示される。これにより，未表示部分の情報を素早く表示させることができ，この結果，未表示部分の情報の検索等の操作を簡略化し，且つ，検索等に費やされる時間を短縮することが可能となる。
また，上記指標表示手段が，上記画像処理装置に設けられたタッチパネル型の情報表示部と一体形成されたもの，或いは，上記情報表示部の枠外に設けられたタッチキー入力可能なタッチパネルで構成されたものであるため，上記画像処理装置の操作パネル等に表示画面の切り替え或いはスクロールをするための機械式スイッチ等を設ける必要がなくなり，操作パネルの形状や配列を簡易化することができ，さらに，操作パネルを小型化することが可能となる。
また，上記指標表示手段は上記情報表示部から離れた位置でなく，上記情報表示部の近傍に設けられており，例えば，上記指標表示手段が上記管理情報の上下方向の指標を表示するものである場合は，上記情報表示部の左右側枠のいずれかに沿って，そして，上記指標表示手段が上記管理情報の左右方向の指標を表示するものである場合は，上記情報表示部の上下側枠のいずれかに沿って設けることにより，上記指標を移動させる操作がより容易となる。
【発明を実施するための最良の形態】
【０００７】
以下添付図面を参照しながら，本発明の一実施形態について説明し，本発明の理解に供する。尚，以下の実施の形態は，本発明を具体化した一例であって，本発明の技術的範囲を限定する性格のものではない。
ここに，図１は本発明の実施の形態に係るデジタル複合機Ｘの概略構成を示す全体模式図，図２は上記デジタル複合機Ｘの操作表示パネルを示すパネル模式図，図３は操作表示パネルの液晶表示部及びスクロールバーを示す模式図，図４は制御部により実行されるアドレス指定処理（スクロール処理を含む）の手順の一例を説明するフローチャートである。
まず，図１の全体模式図及び図２のパネル模式図を用いて，本発明の実施形態に係るデジタル複合機Ｘ（以下，「複合機Ｘ」と略す）の概略構成について説明する。図１（ａ）は複合機Ｘの側面模式図，（ｂ）は（ａ）の矢視Ａ−Ａの正面図である。尚，本発明の実施形態に係る複合機Ｘは，ファクシミリ機能，プリント機能，そして読み取られた画像データをＬＡＮ等のネットワークを介して接続されたパーソナルコンピュータ等の端末装置に伝送するプッシュ型スキャナ機能，等を備えたものとして説明するが，上記複合機Ｘは本発明の実施形態に係る画像処理装置の単なる一例に過ぎない。
図１に示すように，上記複合機Ｘは，大別して，原稿画像を読み取る画像読取装置２０と，この画像読取装置２０の上方に配置された自動原稿送り装置１０（以下，「ＡＤＦ１０」と称す。）と，上記画像読取装置２０の下部に配置された画像形成装置１６と，更に該画像形成装置１６の下部に配置された給紙カセット１７とにより構成されている。
上記ＡＤＦ１０は，原稿セット部１１にセットされた原稿Ｓを複数の搬送ローラＲを介して１枚ずつ順次搬送するものである。上記ＡＤＦ１０によって搬送された原稿Ｓはコンタクトガラス２６上の所定の読取位置を通って副走査方向に搬送され，その後，原稿排出部１３へ搬出される。なお，上記ＡＤＦ１０は上記コンタクトガラス２６を覆う原稿カバーを兼用するものであるため，上記ＡＤＦ１０の上記コンタクトガラス２６を覆う面１４は，原稿から安定した反射光を得るために，主走査方向の読み取り幅全域にわたって白色とされている。
【０００８】
上記画像読取装置２０の上面にはコンタクトガラス２６が配置されている。また，上記画像読取装置２０の内部には，上記コンタクトガラス２６上の所定の読取位置を副走査方向に移動する原稿Ｓに光を照射する露光装置２１と，上記原稿Ｓからの反射光をコンタクトガラス２６を介して受光するミラー等からなるキャリッジ２２と，このキャリッジ２２により受光された反射光を光学レンズ２４に導光する導光ミラー２３ａ，２３ｂと，上記導光ミラー２３ａ，２３ｂを介して導かれた反射光を集光する光学レンズ２４と，上記光学レンズ２４により集光された反射光に含まれる画像情報を電気信号に変換するＣＣＤ２５と，ＣＣＤ２５により変換された電気信号に基づいて認識された画像データの画像処理を実行すると共に，本複合機Ｘを統括的に制御するＤＳＰ（Digital Signal Processor）等のマイクロコンピュータ等を備えた制御部１５とが適宜配設されている。
【０００９】
上記画像形成装置１６は，静電潜像を担持する感光体ドラム１６１，上記感光体ドラム１６１を一様に帯電させる帯電装置１６２，上記感光体ドラム１６１上の静電潜像にトナーを付着させて現像する現像装置１６３，現像されたトナー画像を上記給紙カセット１７から搬送された記録紙に転写する転写装置１６４，感光体ドラム１６１上に残存するトナーを除去するクリーニング装置１６５，トナー画像が転写された記録紙に画像を定着させる定着装置１６６等の周知の各種装置により構成されている。
【００１０】
上記画像読取装置２０の正面側側面には，原稿画像の読取設定や複写設定を入力し，若しくは読み取られた画像データの送信先アドレス等を指定する際に所定の情報を入力或いは表示するための操作表示パネル２９が設けられている。上記操作表示パネル２９について，図２のパネル模式図を用いて，以下に更に詳しく説明する。
図２に示されるように，上記操作表示パネル２９は，テンキー２７１，原稿の読取の開始を指示するためのスタート押釦２７２，原稿画像の読取設定等をクリアしたり，原稿画像の読取動作の中断或いは中止をするためのストップ／クリア押釦２７３等を有する操作部２７と，上記複合機Ｘで管理される管理情報を表示する液晶表示部２８（情報表示部の一例）と，上記管理情報が表示される上記液晶表示部２８の表示画面を上下方向にスクロールさせる上下スクロールバー３０と，上記液晶表示部２８の表示画面を左右方向にスクロールさせる左右スクロールバー４０と，を備えて構成されている。なお，上記管理情報とは，例えば，ユーザ登録情報，送信アドレス情報（アドレスリスト），上記複合機Ｘで原稿を読み取る際の読取設定画面情報，或いは読み取られた原稿データのプレビュー画像情報等のことをいう。
【００１１】
上記液晶表示部２８は，タッチキー入力可能なタッチパネルで構成された液晶ディスプレイである。上記液晶表示部２８に表示された図示しない各種のタッチキーを押し操作することによって，例えば，原稿画像の読取設定を行うための設定表示画面や，ファクシミリ機能或いはスキャナ機能等において読取データを送信先端末等に送信する場合に参照するアドレスリスト等が表示される。
上述のように，例えば，上記液晶表示部２８上のタッチキーを操作して，上記液晶表示部２８に上記アドレスリストを表示させると，通常，上記アドレスリストには多数のアドレスが登録されているため，上記液晶表示部２８の表示画面には上記アドレスリストを全て表示することができない。そのため，図２に示すように，アドレスリストの一部だけが上記液晶表示部２８に表示され，その他の部分のアドレスリストは表示画面に表示しきれない。この場合，従来は，前記した如く，表示切替スイッチ等の押し操作を何度も行うことよって，表示画面を切り替えて，或いはスクロール（スライド）させて，未表示部分のアドレスリストを表示させていたが，本発明に係る複合機Ｘは，上記上下スクロールバー３０に設けられた後述するスライダ３３（指標表示手段の一例），及び上記左右スクロールバー４０に設けられた後述するスライダ４３（指標表示手段の一例）を操作することにより，上記液晶表示部２８の表示画面に表示しきれない未表示部分の情報を迅速に表示させることができる。この点において本複合機Ｘは従来のものと較べて優れている。以下に，上記上下スクロールバー３０及び左右スクロールバー４０について図２〜図４を参照しながら説明する。
【００１２】
上記上下スクロールバー３０及び上記左右スクロールバー４０は，上記液晶表示部２８の枠外近傍に設けられており，具体的には，上記上下スクロールバー３０が上記液晶表示部２８の右側枠に沿って設けられており，上記左右スクロールバー４０が上記液晶表示部２８の下側枠に沿って設けられている。
また，上記上下スクロールバー３０及び左右スクロールバー４０は，上記液晶表示部２８と同様に，タッチパネルで構成されており，このタッチパネル上に上方向スクロールキー３１，下方向スクロールキー３２，右方向スクロールキー４１，及び左方向スクロールキー４２を仮想的に表示させることによってスクロールバーが構成されている。なお，上記上下方向，左右方向のスクロールキーは，液晶表示部２８の表示画面を，上記スクロールキーの操作回数に応じて一定幅ずつ順次スライドさせるものである。
更に，上記上下スクロールバー３０及び左右スクロールバー４０には，上記液晶表示部２８の上記表示画面に表示された上記管理情報の一例であるアドレスリストの表示部分の上記アドレスリスト全体における相対位置の指標となる前記上下スライダ３３及び左右スライダ４３が設けられている。これらのスライダ３３，４３は，現在，上記液晶表示部２８の上記表示画面に表示されている部分の上記アドレスリスト全体に占める相対位置を示す指標であって，前記制御部１５により所定のプログラムに従って実行される後述のスクロール制御処理がなされることによって，上記各スクロールバー上で具現化されるものである。なお，上記スクロールバーは上記アドレスリスト全体を表し，上記スライダの幅（大きさ）は上記液晶表示部２８に表示されている部分の上記アドレスリスト全体に占める割合を示す。
このように，本複合機Ｘは従来のものとは異なり，タッチパネルで構成された上下スクロールバー３０及び左右スクロールバー４０が設けられ，更に上記上下スクロールバー３０には上記スライダ３３が，上記左右スクロールバー４０には左右スライダ４３が設けられているため，例えば，操作者が上記スライダ３３，４３を指で押圧しながら上下方向，或いは左右方向に移動させると，上記液晶表示部２８の表示画面が上記スライダの移動方向へ，上記スライダの移動速度と同じ速度で同期して移動（スライド）されるため，移動されたスライダ位置に対応するアドレスリストの未表示部分が即時に表示される。これにより，未表示部分の情報の検索操作を簡単に行うことができ，且つ，検索等に費やされる時間を短縮することが可能となる。
なお，上述したような上記スライダ３３，４３の移動を可能とするべく，本複合機Ｘ全体を統括制御する上記制御部１５（図１参照）には，上記スクロールキーの操作により表示画面をスクロールさせる機能だけでなく，上記スライダ３３，４３を移動させて，その移動位置に応じた情報を上記液晶表示部２８に表示させる機能をも有するスクロール制御機能が備えられている。かかるスクロール制御機能については，後段においてフローチャートを用いて説明する。
【００１３】
次に，図２及び図３を参照しつつ，図４のフローチャートを用いて本複合機Ｘの制御部１５（のマイクロコンピュータ）により実行されるアドレス指定処理（スクロール制御機能により実行されるスクロール制御処理を含む）の手順の一例について説明する。図中のＳ１０，Ｓ２０，…は処理手順（ステップ）番号を示す。処理はステップＳ１０より開始される。
本複合機Ｘにおいて，スキャナ機能或いはファクシミリ機能が選択され，その後，操作表示パネル２９において所定の操作がなされることにより，画像データを送信する送信先アドレスが登録されたアドレスリストが上記液晶表示部２８に表示されると（Ｓ１０），上記制御部１５はスクロール制御機能を有効にして（Ｓ２０），ステップＳ３０〜Ｓ６０においてスクロール制御処理を実行する。
まず，ステップＳ３０では，上記上下スクロールキー３１，３２の入力があるかどうかが判断される。前記したように上記スクロールバー３０，４０はタッチパネルで構成されているため，上記ステップＳ３０の判断は，操作者が上記スクロールキー３１或いは３２のいずれかを押圧することにより生じる電流（電流信号）を検知することで判断される。
ここで，上記上下スクロールキー３１，３２のキー入力があると判断されると（Ｓ３０のＹｅｓ側），上記制御部１５より，上記液晶表示部２８の表示画面がキー入力に応じて，上方向或いは下方向へ予め定められた一定幅だけスクロールされる（Ｓ３１）。その後，処理はステップＳ７０に進む。
【００１４】
上記ステップＳ３０で上記上下スクロールキー３１，３２のキー入力が無いと判断されると，続いて，ステップＳ４０において，上記左右スクロールキー４１，４２の入力があるかどうかが，上記ステップＳ３０の上下スクロールキー３１，３２の入力判断と同じ手法により判断される。
ここで，上記左右スクロールキー４１，４２のキー入力があると判断されると（Ｓ４０のＹｅｓ側），上記制御部１５よって，上記液晶表示部２８の表示画面がキー入力に応じて，左方向或いは右方向へ予め定められた一定幅だけスクロールされ（Ｓ４１），その後，処理はステップＳ７０に進む。
【００１５】
続いて，上記ステップＳ４０で上記左右スクロールキー４１，４２のキー入力が無いと判断されると，続いて，ステップＳ５０において，上記上下スライダ３３が移動されたかどうかが判断される。
上記スライダ３３の移動は，パーソナルコンピュータ等の入力装置であるマウスの操作機能の一つである「ドラッグアンドドロップ」によりフォルダやアイコン等を移動させる手法に準じた方法で行われる。かかる移動手法は周知であるため，ここでは詳しい説明は省略するが，例えば，操作者が上記上下スライダ３３を指で押圧し続けながら，そのままの状態で指を下方向に移動させ（即ち，上記上下スライダ３３を下方向へドラッグし），その移動後に指を離す（即ち，上記上下スライダ３３をドロップする）という一連の動作により上下スクロールバー３０で生じる電流値の変化（電流信号の変化）に追従するように，上記情報表示部２８上に表されたスライダ３３が上記制御部１５によって移動される。
このとき，上記制御部１５により，上記電流信号の変化に基づいて，操作者が指を移動させた方向，即ち上記スライダ３３を移動させた方向が判定される。このように上記スライダ３３の移動方向が判定されると，上記制御部１５は，その移動方向へ上記液晶表示部２８の表示画面を移動させる。なお，これまでが上記ステップＳ５０における処理であり，かかる処理が指標移動手段に相当する。
ここで，上記上下スライダ３３が移動されたと判断されると（Ｓ５０のＹｅｓ側），上記制御部１５より，上記上下スライダ３３の移動位置に応じた上記アドレスリストが上記液晶表示部２８に表示される（Ｓ５１）。例えば，上記上下スライダ３３が，図２に示すように，上記上下スクロールバー３０の最も上端にあるときに，操作者によって上記上下スライダ３３が上記上下スクロールバー３０の最も下端（図３（ａ）参照）に移動されると，図３（ａ）に示すように，アドレスリストの最後尾に登録されたアドレス情報が上記液晶表示部２８に表示される。その後，処理はステップＳ７０に進む。なお，スライダの移動中は，上記スライダ３３に応じたアドレスリストを上記液晶表示部２８に表示させてもよい。また，移動が停止するまで上記スライダ３３に応じたアドレスリストを表示させない表示態様であってもよい。
【００１６】
上記ステップＳ５０で上記上下スライダ３３の移動が確認されない，即ち，上記上下スライダ３３の対応する部分のタッチパネルにおいて電流信号が検出されない場合は，続いてステップＳ６０において，上記左右スライダ４３が移動されたかどうかが，上記ステップＳ５０の上記上下スライダ３３の移動の判断手法と同じように判断される。
ここで，上記左右スライダ４３が移動されたと判断されると（Ｓ６０のＹｅｓ側），上記制御部１５より，上記左右スライダ４３の移動位置に応じた上記アドレスリストが上記液晶表示部２８に表示される（Ｓ６１）。例えば，上記左右スライダ４３が図３（ａ）に示すように，上記左右スクロールバー４０の左端にあるときに，操作者によって上記左右スライダ４３が上記左右スクロールバー４０の最も右端（図３（ｂ）参照）に移動されると，図３（ｂ）に示すように，アドレスリストの右端側の未表示部分の情報が上記液晶表示部２８に表示される。その後，処理はステップＳ７０に進む。また，上記ステップＳ６０で上記左右スライダ４３の移動が確認されない場合も，処理はステップＳ７０に進む。
【００１７】
処理がステップＳ７０に進むと，ここでは，上記アドレスリストから送信先アドレスが指定されたかどうかが，例えば，アドレスリスト中の１のアドレス項目が上記液晶表示部２８上で押圧（選択）されたかどうかにより判断される。ここで送信先アドレスが指定されたと判断されると，送信先アドレスを設定した後に処理は終了し（Ｓ７０のＹｅｓ側），アドレスの指定が無いと判断されると，処理はステップＳ３０に戻り，ステップＳ３０〜Ｓ７０の一例の処理が繰り返し行われる。
このように本複合機Ｘには，上記液晶表示部２８に表示されたアドレスリストの表示部分の上記アドレスリスト全体における相対位置を示す上下スライダ３３及び左右スライダ４３が設けられ，上記制御部１５に前記したスクロール制御機能が設けられているため，上記スライダが移動されることにより，上記液晶表示部２８に表示しきれない未表示部分の情報を上記液晶表示部２８に即時に表示させることが可能となるため，未表示部分の情報を検索等するときの検索操作を容易にし，且つ，検索等に費やされる時間を短縮することが可能となる。
【産業上の利用可能性】
【００１８】
本発明は，液晶ディスプレイ等の表示部にユーザ登録情報や送信先アドレス情報等の管理情報をさせるスキャナ装置，ファクシミリ装置，プリンタ装置，複写機，若しくはこれらの機能を複数備えた複合機（ＭＦＰ）等の画像処理装置に利用可能である。
【図面の簡単な説明】
【００１９】
【図１】図１は本発明の実施の形態に係るデジタル複合機Ｘの概略構成を示す全体模式図。
【図２】上記デジタル複合機Ｘの操作表示パネルを示すパネル模式図。
【図３】操作表示パネルの液晶表示部及びスクロールバーを示す模式図。
【図４】制御部により実行されるアドレス指定処理（スクロール処理を含む）の手順の一例を説明するフローチャート。
【符号の説明】
【００２０】
Ｘ…複合機
１０…自動原稿送り装置
１５…制御部
１６…画像形成装置
１７…給紙カセット
２０…画像読取装置
２７…操作部
２８…液晶表示部
２９…操作表示部
３０…上下スクロールバー（指標表示手段の一例）
３１…上方向スクロールキー
３２…下方向スクロールキー
３３…上下スライダ（指標の一例）
４０…左右スクロールバー（指標表示手段の一例）
４１…左方向スクロールキー
４２…右方向スクロールキー
４３…左右スライダ（指標の一例）
【図１】
2005244360.tif 000003
【図２】
2005244360.tif 000004
【図３】
2005244360.tif 000005
【図４】
2005244360.tif 000006